(57)【要約】本発明は、縄跳びのための計数及び表示装置についての発明である。そして、本発明の計数及び表示装置は、縄跳びのときに用いられるロープを検知するための検知ユニットと、前記検知ユニットによって検知される前記ロープが通過する瞬間を計数するための、前記検知ユニットに接続された計数ユニットと、前記計数装置の計数を表示するためのディスプレイ装置と、を少なくとも備える、縄跳びのための計数及び表示装置において、前記検知ユニットはレーダー送受信器を備えることを特徴とする。【選択図】図１
2012501195.tif 000002
【特許請求の範囲】
【請求項１】
縄跳びのときに用いられるロープを検知するための検知ユニットと、
前記検知ユニットによって検知される前記ロープが通過する瞬間を計数するための、前記検知ユニットに接続された計数ユニットと、
前記計数装置の計数を表示するためのディスプレイ装置と、を少なくとも備える、縄跳びのための計数及び表示装置において、
前記検知ユニットはレーダー送受信器を備えることを特徴とする計数及び表示装置。
【請求項２】
前記レーダー送受信器は、約２４ＧＨｚの周波数において動作可能であることを特徴とする請求項１に記載の計数及び表示装置。
【請求項３】
前記レーダー送受信器は、約７０°の水平面かつ約１１°の垂直面の送受信角を有することを特徴とする請求項１または２に記載の計数及び表示装置。
【請求項４】
前記検知ユニットは、前記ロープの動きの特徴である少なくとも２つのパラメータを観察するように構成されていることを特徴とする請求項１から３のいずれか一項に記載の計数及び表示装置。
【請求項５】
前記少なくとも２つのパラメータは、前記ロープの速度と、前記検知ユニットに対する前記ロープの距離とを含むことを特徴とする請求項４に記載の計数及び表示装置。
【請求項６】
前記ディスプレイ装置は、少なくとも４桁表示であることを特徴とする請求項１から５のいずれか一項に記載の計数及び表示装置。
【請求項７】
経過時間を示すためのインジケータをさらに備えることを特徴とする請求項１から６のいずれか一項に記載の計数及び表示装置。
【請求項８】
前記インジケータは、円形に構成される一連の切替可能な光源を備えることを特徴とする請求項７に記載の計数及び表示装置。
【請求項９】
前記光源は発光ダイオードであることを特徴とする請求項８に記載の計数及び表示装置。
【請求項１０】
縄跳びが、当該計数及び表示装置から最大約３．５ｍの距離で前記レーダー送受信器の前記送受信角において行なわれることを特徴とする請求項１から９のいずれか一項に記載の計数及び表示装置の使用。
【請求項１１】
前記計数及び表示装置は、床から０．５〜２ｍの範囲の高さに取り付けられることを特徴とする請求項１０に記載の使用。
【発明の詳細な説明】
【技術分野】
【０００１】
本発明は、縄跳びのための計数及び表示装置であって、少なくとも、
−  縄跳びのときに用いられるロープを検知するための検知ユニットと、
−  この検知ユニットによって検知される縄が通過する瞬間を計数するための、検知ユニットに接続された計数ユニットと、
−  この装置の計数を表示するためのディスプレイ装置と、
を備える、計数及び表示装置に関する。
【背景技術】
【０００２】
こうした装置は、特許文献１および特許文献２から分かるように公知である。
【０００３】
消費者市場において、また、ホテル等のフィットネスルームや、ジムといった場所において、縄跳びによるトレーニング量が測定され表示される装置のニーズがある。上記の先行技術文献から分かるように、係る計数及び表示装置は公知であり、使用される縄（ロープ）のハンドルにおいて、跳んだ回数の記録を取るための設備が必要となる。特許文献３にあるように、係る装置は、使ったエネルギーの量を測定する設備を利用することが知られている。
【先行技術文献】
【特許文献】
【０００４】
【特許文献１】オランダ国特許公報第ＮＬ−Ｃ−１００４２６４号
【特許文献２】米国特許出願公開第５８４２７６６号公報
【特許文献３】国際公開第ＷＯ０２／０７８２６号公報
【発明の概要】
【発明が解決しようとする課題】
【０００５】
本発明の目的は、任意のロープと共に用いるのに適した計数及び表示装置であって、少なくともロープの回転数および間接的にジャンプの回数が自動的に検知されて表示される計数及び表示装置を提供することである。
【課題を解決するための手段】
【０００６】
これに関し、計数及び表示装置並びにその使用は、添付の特許請求の範囲の一または複数の請求項によって特徴付けられる。
【０００７】
出願人は、広範囲な調査を通して、本発明の計数及び表示装置は検知ユニットがレーダー送受信器を備える場合に最適に動作することができることが分かった。
【０００８】
この装置の好適な動作のためには、レーダー送受信器が約２４ＧＨｚの周波数において動作可能であることが好ましい。
【０００９】
縄跳びは、非常に激しい活動であることが一般的に知られている。これに関して、レーダー送受信器は、約７０°の水平面かつ約１１°の垂直面の送受信角を有する。
【００１０】
縄跳びのジャンプの回数の信頼性のある効果的な測定は、検知ユニットがロープの動きの特徴である少なくとも２つのパラメータを観察するように構成されているという特徴によって特に容易になる。
【００１１】
この少なくとも２つのパラメータは検知ユニットで測定されるロープの速度および距離を含むことが有利であることが分かっている。３つ目のパラメータとして、ロープの長さを考慮に入れることもできる。
【００１２】
激しいトレーニング運動を記録することができるように、ディスプレイ装置は少なくとも４桁表示であることが望ましい。これにより、最大で９，９９９回のジャンプを記録し、表示することができるようになり、その後も、計数装置の適切な実施形態において計数は続けられ、ディスプレイが今度は数字がゼロになるまでジャンプの回数が表示される。５桁表示を選択することにより、この数を１０倍に増加することができる。
【００１３】
この計数及び表示装置は経過時間を示すためのインジケータを備えることも好ましい。
【００１４】
特に好適な実施形態として、インジケータは円形に構成される多くの切替可能な光源を備えることが提案される。
【００１５】
更に、電力消費を抑えるために、光源が発光ダイオードであることが望ましい。
【００１６】
縄跳びをする人によるこの計数及び表示装置の使用は、縄跳びが、レーダー送受信器から最大約３．５ｍの距離でこのレーダー送受信器の送受信角において行なわれることを特徴とする。
【００１７】
実際には、この計数及び表示装置は、良好な動作を確実にするために、ジャンプがなされるフロアー（床）に対して０．５〜２ｍの範囲の高さに取り付けられるべきである。
【図面の簡単な説明】
【００１８】
【図１】本発明の計数及び表示装置の図。
【発明を実施するための形態】
【００１９】
本発明は、本発明の計数及び表示装置並びにその使用を示す一の図面を参照して、以下に詳細に説明される。
【００２０】
図１において、符号１は、本発明による縄跳びのための計数及び表示装置を示している。この装置１は、一のユニットとして作られ、壁２に取り付けられる。
【００２１】
本発明の計数及び表示装置１は、ユーザ５によって縄跳びに用いられるロープ４の検知のために検知ユニット３を備えている。
【００２２】
更に、計数及び表示装置１は、検知ユニット３によって検知されるロープ４が通過する瞬間を計数するための、検知ユニット３に接続された計数ユニット（図示されず）と、その計数（計数ユニットによって計数されるロープ４の通過の回数）を表示するためのディスプレイ装置６を備えている。
【００２３】
検知ユニット３は、レーダー送受信器を備えている。
【００２４】
レーダー送受信器を備える検知ユニット３の実施形態において、これは少なくとも約２４ＧＨｚの周波数で動作することができることが好ましい。レーダー送受信器３は、約７０°の水平面かつ約１１°の垂直面の送受信角を有することが好ましい。これにより、ユーザ５による縄跳びを計数及び表示装置１の前において広い範囲で効果的に検知し、計数することができる。縄跳びを行なうユーザと計数及び表示装置１との間の距離は最大約３．５ｍの範囲である。
【００２５】
なお、図１は、計数及び表示装置１を比較的高所に配置することができることを示している。実際には、床面からの高さは、０．５〜２ｍの範囲でよい。
【００２６】
検知ユニット３は、ロープ４の動きの特徴である少なくとも２つのパラメータを検知するように構成されていることが好ましい。ロープ４のこれら２つのパラメータは、ロープの速度と、検知ユニット１に対する距離とに関するものである。更にロープ４の長さも考慮に入れることができる。
【００２７】
表示ユニット６は４桁表示であることが好ましい。更に、計数及び表示装置１が経過時間を示すためのインジケータ７を備えて構成されることが好ましい。このため、このインジケータ７は例えば、円形に構成される一連の切替可能な光源（好ましくは発光ダイオード）として構成される。
【００２８】
本発明の計数及び表示装置は他の選択および機能にも拡張でき、例えば、一秒当たりの平均ジャンプ数、使われたエネルギーの量、ユーザの一分当たりの心拍数などを示すこともまた、本発明の範囲内である。
【００２９】
更に、計数及び表示装置にバッテリーを備えることによって、任意の場所でこの計数及び表示装置を用いることも可能である。そして、バッテリーから電力線への切替が自動的になされることが望ましい。
【００３０】
本発明の一または複数の計数及び表示装置を、登録するためにインターネットサイトにリンクし、あるいは競争するために他のユーザと相互に接続することも可能である。
【図１】
2012501195.tif 000003
【国際調査報告】
2012501195.tif 000004
2012501195.tif 000005
2012501195.tif 000006